(57)【要約】      （修正有）【課題】管に対し拡管を行う拡管工具の構造を提供する。【解決手段】本体１にはリング２及び軸受３が設けられると共に軸部５が穿設される。駆動ヘッド４は本体１上で軸部５に連結され、軸部５の底端にはガイドピン５１及び円錐状のヘッド５２を有する。駆動ヘッド４は正回転するとリング２の内ねじ山２１に螺入され、且つ反回転すると内ねじ山２１から上に向け完全に外される外ねじ山４１を有し、弾性部材６が胴体１１に設置されると共に軸部５に覆設されることで、弾性部材６の頂端がリング２の底縁に当接され、弾性部材６の底端はガイドピン５１に対し下に向け撞着され、外ねじ山４１が内ねじ山２１から完全に外された後、内ねじ山２１に再度螺入されるために空転する。【選択図】図２
0003192090.tif 000002
【実用新案登録請求の範囲】
【請求項１】
胴体、及び前記胴体にある頂端の頸状部を有し、且つ前記胴体は管を挟装する固定具が納置されるガイド溝を有し、貫通孔は前記胴体の頂端の前記頸状部に穿通されると共に底端は前記ガイド溝に連通される本体と、
前記貫通孔の前記頸状部内に固定され、中空状で内ねじ山を有するリングと、
前記貫通孔の底端に固定されると共に前記ガイド溝に隣接される軸受と、
それが正回転すると前記リングの内ねじ山に螺設される外ねじ山を有し、前記外ねじ山はそれが反回転すると前記内ねじ山から上に向け完全に外される駆動ヘッドと、
前記本体に穿設され、その頂端は前記頸状部から延出されて前記駆動ヘッドに結合され、底端は前記軸受に定位されるガイドピンを有し、且つ前記ガイドピンの下に偏心を呈し設置される円錐状のヘッドを有する軸部と、
前記胴体に設置されると共に前記軸部に覆設され、その頂端は前記リングの底縁に当接され、且つ底端は前記ガイドピンに対し下に向け撞着される弾性部材を備えることを特徴とする拡管工具の構造。
【請求項２】
前記弾性部材は円錐形螺旋バネであることを特徴とする、請求項１に記載の拡管工具の構造。
【請求項３】
前記ガイドピンの頂端には外径が前記ガイドピンより大きいパッド部が設けられ、前記弾性部材の底端は前記パッド部に定置されると共に前記ガイドピンに撞着されることを特徴とする、請求項１に記載の拡管工具の構造。
【請求項４】
前記ガイドピンの頂端には外径が縮小することで形成される環状凹部を有し、前記パッド部及び前記ガイドピンは前記環状凹部に同軸で定位されることを特徴とする、請求項３に記載の拡管工具の構造。
【考案の詳細な説明】
【技術分野】
【０００１】
本考案は、拡管工具に関し、より詳しくは、管に対し拡管を行う拡管工具に関する。
【背景技術】
【０００２】
図７は従来の拡管工具の構造である。本体９１には軸部９２が穿設されると共に駆動ヘッド９３が設置され、本体９１の胴体９１１には固定具９４が納入されるガイド溝９１２を有し、本体９１内には上に向け本体９１を穿通させると共に下に向けガイド溝９１２に連通される貫通孔９１３を有する。本体９１は貫通孔９１３の頂端に内ねじ山９１４を有し、貫通孔９１３の底端には軸受９５が設けられ、軸部９２は本体９１内に円錐状のヘッド９２１を有し、駆動ヘッド９３は内ねじ山９１４に螺設される外ねじ山９３１を有する。駆動ヘッド９３が回転することで外ねじ山９３１と内ねじ山９１４とが対応して回転し、軸部９２は回転しながら移動し、円錐状のヘッド９２１が偏心しているため固定具９４が挟装される管９６に対し拡管が行われる。
【０００３】
上述の従来の拡管工具の構造は、駆動ヘッド９３の外ねじ山９３１が内ねじ山９１４の底まで螺入される場合、駆動ヘッド９３の継続的な回転に従い円錐状のヘッド９２１は持続的に管９６を圧迫し、管９６は圧力により変形する。このため、従来の拡管工具の構造は駆動ヘッド９３にトルクを設定させる装置を具備し、駆動ヘッド９３の外ねじ山９３１が内ねじ山９１４の底まで螺入される場合、駆動ヘッド９３が継続的に回転すると円錐状のヘッド９２１は管９６を圧迫しなくなるため管９６も変形しない。
【考案の概要】
【考案が解決しようとする課題】
【０００４】
しかしながら、前述した従来の技術では、実務上他の問題がよく発生する。即ち、拡管動作の完了後、駆動ヘッド９３を反回転させて外ねじ山９３１を内ねじ山９１４から外す方向へ回転させる必要がある。前記駆動ヘッド９３が電動ドライバー或いはエアードライバー等大きなトルクを提供する手動工具により駆動された場合、駆動ヘッド９３が内ねじ山９１４から外れる方向に極限まで回転されて即時停止しなければ、本体９１は駆動ヘッド９３の駆動により捻れ、本体９１を手に持つ者の手が捻れに耐え切れず捻られる。本体９１が万力により工具を固定する場合、手動工具は捻れにより部材が過度に損耗し、耐用年数が縮まった。
【０００５】
そこで、本考案者は上記の欠点が改善可能と考え、鋭意検討を重ねた結果、合理的かつ効果的に課題を改善する本考案の拡管工具の構造の提案に到った。
【０００６】
本考案は、このような従来の問題に鑑みてなされたものである。上記課題解決のため、本考案は、拡管工具の構造を提供することを主目的とする。
【課題を解決するための手段】
【０００７】
上述した課題を解決し、目的を達成するために、本考案に係る拡管工具の構造は、
胴体、及び前記胴体にある頂端の頸状部を有し、且つ前記胴体は管を挟装する固定具が納置されるガイド溝を有し、貫通孔は前記胴体の頂端の前記頸状部に穿通されると共に底端は前記ガイド溝に連通される本体と、
前記貫通孔の前記頸状部内に固定され、中空状で内ねじ山を有するリングと、
前記貫通孔の底端に固定されると共に前記ガイド溝に隣接される軸受と、
それが正回転すると前記リングの内ねじ山に螺設される外ねじ山を有し、前記外ねじ山はそれが反回転すると前記内ねじ山から上に向け完全に外される駆動ヘッドと、
前記本体に穿設され、その頂端は前記頸状部から延出されて前記駆動ヘッドに結合され、底端は前記軸受に定位されるガイドピンを有し、且つ前記ガイドピンの下に偏心を呈し設置される円錐状のヘッドを有する軸部と、
前記胴体に設置されると共に前記軸部に覆設され、その頂端は前記リングの底縁に当接され、且つ底端は前記ガイドピンに対し下に向け撞着される弾性部材を備えることを特徴とする。
【考案の効果】
【０００８】
本考案によれば、捻れても手が捻られず、損耗による耐用年数の短縮を防ぐ手動工具が得られる。
【図面の簡単な説明】
【０００９】
【図１】本考案に係る拡管工具の構造を説明する外観斜視図である。
【図２】本考案に係る拡管工具の構造を説明する展開図である。
【図３】本考案に係る拡管工具の構造を説明する断面模式図及び拡管際の使用状態図である。
【図４】本考案の駆動ヘッドを外ねじ山へ移転し完全に内ねじ山から離れる時の断面模式図である。
【図５】本考案の外ねじ山の歯先が一時的に内ねじ山の歯先に当接される一部の拡大図である。
【図６】本考案の外ねじ山の歯先が内ねじ山の歯先から離れる時の一部の拡大図である。
【図７】従来の拡管工具を説明する断面模式図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
＜第１実施形態＞
【００１１】
以下、実施形態１を図１〜６に基づいて説明する。本考案の拡管工具の構造は図１乃至図２に示すように、本体１、リング２、軸受３、駆動ヘッド４、軸部５、及び弾性部材６を備える。なお、前記本体１は胴体１１、及び前記胴体１１の頂端にある頸状部１２を有し、前記胴体１１は管Ａに挟装される固定具１４を納置させるガイド溝１３を有し、貫通孔１５は前記胴体１１の頂端の前記頸状部１２に穿通されると共に底端は前記ガイド溝１３に連通される（図２及び図３参照）。
【００１２】
図３に示すように、前記リング２は前記貫通孔１５中の前記頸状部１２内に固定され、前記リング２は中空状で内ねじ山２１を有する。前記軸受３は前記貫通孔１５の底端に固定されると共に前記ガイド溝１３に隣接される。
【００１３】
なお、前記駆動ヘッド４は外ねじ山４１を有し、前記外ねじ山４１は前記駆動ヘッド４が正回転すると前記リング２の内ねじ山２１に螺設され、前記駆動ヘッド４が反回転すると前記内ねじ山２１から上に向け完全に外される。この好ましい実施形態では、前記駆動ヘッド４は凹部４２を有し、前記凹部には電動ドライバー或いはエアードライバー等の手動工具のドライバーヘッドが納入され、これら前記手動工具により駆動される。正回転は時計回りの回転を指すのではなく、反回転も反時計回りの回転を指すのではなく、正回転と反回転は相対する概念であり、すなわち、一方が時計回り或いは反時計回りに回転すると、他方が反対の方向に回転する（図２及び図３を参照）。
【００１４】
さらに、図２乃至図３に示すように、前記軸部５は前記本体１に穿設され、頂端は前記頸状部１２から延出されると共に前記駆動ヘッド４に結合され、底端は前記軸受３に定位されるガイドピン５１を有し、且つ前記ガイドピン５１の下で偏心を呈し設置される円錐状のヘッド５２を有する。
【００１５】
前記弾性部材６は前記胴体１１に設置されると共に前記軸部５に覆設され、前記弾性部材６の頂端は前記リング２の底縁に当接され、弾性部材６の底端は前記ガイドピン５１に対し下に向け撞着される。
【００１６】
本考案の弾性部材６は円錐形の螺旋バネである。なお、ガイドピン５１の頂端には外径が前記ガイドピン５１より大きいパッド部５３が設けられる。より詳しくは、本考案のガイドピン５１の頂端は外径が縮小し形成される環状凹部５１１を有し、前記パッド部５３及び前記ガイドピン５１は前記環状凹部５１１に同軸で定位され、前記弾性部材６の底端は前記パッド部５３に定置されると共に前記ガイドピン５１に撞着される。
【００１７】
図３に示すように、実際の拡管操作時には、管Ａは固定具１４により挟装された後、固定具１４は胴体１１のガイド溝１３に納入され、管Ａは円錐状のヘッド５２に照準を合わせ、電動ドライバー或いはエアードライバー等の手動工具に連結されるドライバーヘッド７は駆動ヘッド４の凹部４２に納入され、手動工具が操作されてドライバーヘッド７は前記駆動ヘッド４を連動させて空転し、円錐状のヘッド５２は管Ａに対し拡管を行う。
【００１８】
管Ａの円錐状のヘッド５２による拡管が完了した後、前述の手動工具は反回転に設定され、駆動ヘッド４の外ねじ山４１はドライバーヘッド７の駆動により前記内ねじ山２１から外れる方向に回転し、図４に示すように前記内ねじ山から完全に外される。この際弾性部材６がガイドピン５１に対し下に向け撞着されるため、軸部５が前記駆動ヘッド４の外ねじ山４１を連動させて下に向け前記リング２の内ねじ山２１に当接させる。図５は外ねじ山４１と内ねじ山２１との接合箇所を部分的に拡大したものであり、前記外ねじ山４１の歯先４１１は一時的に内ねじ山２１の歯先２１１に当接される。この際駆動ヘッド４が再度反回転すると、歯先４１１は図６のように歯先２１１から脱離するのを阻まれ、前記弾性部材６の作用により歯先４１１は内ねじ山２１に貼付されて内ねじ山２１に予備的に螺入される。故に駆動ヘッド４が持続的に反回転する場合、外ねじ山４１は内ねじ山２１に予備的に再度螺入されて重複して空転し、前記駆動ヘッド４を再駆動させて正回転させるのみで、外ねじ山４１が内ねじ山２１に螺入され、拡管動作が再度施工される。
【００１９】
したがって、上述の説明から分かる本実用新案の長所は、駆動ヘッド４が手動工具のドライバーヘッド７が駆動されることで反回転され、外ねじ山４１が内ねじ山２１から外れる方向に回転されて完全に外されると、ドライバーヘッド７は継続的に手動工具の駆動により回転されて、駆動ヘッド４が継続的に回転される。この際外ねじ山４１が内ねじ山２１に予備的に再度螺入されて重複して空転し、従来の拡管工具の構造のように駆動ヘッドが内ねじ山から外れる方向に極限まで回転されても捻れず、手が逆回転により捻られることもなく、手動工具が損耗し耐用年数が短くなることもない。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
９１ 本体
９１１ 胴体
９１２ ガイド溝
９１３ 貫通孔
９１４ 内ねじ山
９２ 軸部
９２１ 円錐状のヘッド
９３ 駆動ヘッド
９３１ 外ねじ山
９４ 固定具
９５ 軸受
９６ 管
１ 本体
１１ 胴体
１２ 頸状部
１３ ガイド溝
１４ 固定具
１５ 貫通孔
２ リング
２１ 内ねじ山
３ 軸受
４ 駆動ヘッド
４１ 外ねじ山
４２ 凹部
５ 軸部
５１ ガイドピン
５１１ 環状凹部
５２ 円錐状のヘッド
５３ パッド部
６ 弾性部材
７ ねじ頭
Ａ 管
【図１】
0003192090.tif 000003
【図２】
0003192090.tif 000004
【図３】
0003192090.tif 000005
【図４】
0003192090.tif 000006
【図５】
0003192090.tif 000007
【図６】
0003192090.tif 000008
【図７】
0003192090.tif 000009